(57)【要約】【課題】  収納ボックスの中に入れたものを外部から見えるようにすることと見えないようにすることを自由に選択することができる収納用構造体を提供すること。【解決手段】  下面部１０３と、上面部１０４と、これらを連結する連結部１０５と、からなる収納用本体１０１と、下面部１０３と上面部１０４と連結部１０５とにより囲まれた空間内に着脱自在に収納される収納ボックス１０２と、を備える収納用構造体１００であって、収納ボックス１０２の側面は、透明にされた第一の側面１１０と、不透明にされた第二の側面１１１と、が形成されていることを特徴とする収納用構造体１００を提供する。【選択図】    図１
2005131204.tif 000002
【特許請求の範囲】
【請求項１】
開口部を有する収納用本体の内部に前記開口部を介して揺動自在に出し入れが可能な収納ボックスにおいて、
前記収納ボックスは、前記収納ボックスを前記収納用本体に収納したときに外部から見える第一の側面と、前記第一の側面と対抗する第二の側面と、を少なくとも備えており、
前記第一の側面は、外側から内部を見通すことができるように形成されており、
前記第二の側面は、外側から内部を見通すことができないように形成されていることを特徴とする収納ボックス。
【請求項２】
前記収納ボックスは、矩形状の底面と、前記底面の四辺から直立する前記第一の側面、前記第二の側面、第三の側面及び第四の側面とを有しており、
前記底面、前記第三の側面及び前記第四の側面はいずれも外側から内部を見通すことができないように形成されていることを特徴とする請求項１に記載の収納ボックス。
【請求項３】
前記第一の側面は、透明の樹脂からなるものであることを特徴とする請求項１又は２に記載の収納ボックス。
【請求項４】
前記底面、前記第二の側面、前記第三の側面及び前記第四の側面は紙、木又は金属からなるものであることを特徴とする請求項１乃至３の何れか一項に記載の収納ボックス。
【請求項５】
前記第一の側面及び前記第二の側面には取っ手が設けられていることを特徴とする請求項１乃至４の何れか一項に記載の収納ボックス。
【請求項６】
前記取っ手は、前記第一の側面及び前記第二の側面の表面から前記収納ボックスの内部に向かって凸になるように形成されていることを特徴とする請求項５に記載の収納ボックス。
【請求項７】
開口部を有する収納用本体と、
請求項１乃至６の何れか一項に記載の収納ボックスと、
からなる収納用構造体。
【請求項８】
開口部を有する収納用本体と、
前記収納用本体の内部に前記開口部を介して揺動自在に出し入れが可能な収納ボックスと、
からなる収納用構造体において、
前記収納ボックスは、矩形状の底面と、前記底面の四辺から直立する第一乃至第四の側面と、を備えており、
前記第一の側面は、前記収納ボックスを前記収納用本体に収納したときに外部から見える側面であり、前記第二の側面は前記第一の側面と対抗する側面であり、
前記第三の側面は、外側から内部を見通すことができるように形成されており、
前記第四の側面は、外側から内部を見通すことができないように形成されており、
前記収納ボックスを前記収納用本体に収納したときに、前記第三の側面に対向する前記収納用本体の面は、外側から内部を見通すことができるように形成されており、
前記収納ボックスを前記収納用本体に収納したときに、前記第四の側面に対向する前記収納用本体の面は、外側から内部を見通すことができないように形成されていることを特徴とする収納用構造体。
【請求項９】
多段式の収納用本体であって、各段毎に開口部を有する収納用本体と、
前記収納用本体の各段の内部に前記開口部を介して揺動自在に出し入れが可能な収納ボックスと、
からなる収納用構造体において、
前記収納ボックスは、矩形状の底面と、前記底面の四辺から直立する第一乃至第四の側面と、を備えており、
前記第一の側面は、前記収納ボックスを前記収納用本体に収納したときに外部から見える側面であり、前記第二の側面は前記第一の側面と対向する側面であり、
前記第一の側面は、前記収納ボックスを前記収納用本体に収納したときに外部から見える側面であり、前記第二の側面は前記第一の側面と対向する側面であり、
前記第三の側面は、外側から内部を見通すことができるように形成されており、
前記第四の側面は、外側から内部を見通すことができないように形成されており、
前記収納ボックスを前記収納用本体に収納したときに、前記第三の側面に対向する前記収納用本体の段の面は、外側から内部を見通すことができるように形成されており、
前記収納ボックスを前記収納用本体に収納したときに、前記第四の側面に対向する前記収納用本体の段の面は、外側から内部を見通すことができないように形成されていることを特徴とする収納用構造体。
【請求項１０】
外側から内部を見通すことができるように形成されている面を有する段と、外側から内部を見通すことができないように形成されている面を有する段と、が交互に配置されていることを特徴とする請求項９に記載の収納用構造体。
【発明の詳細な説明】
【技術分野】
【０００１】
本発明は、収納ボックス及び収納用構造体に関する。
【背景技術】
【０００２】
衣服や靴などを押入などに収納するため、従来から、下面部と上面部とを連結部により連結することにより収納用本体を構成し、この収納用本体の下面部、上面部及び連結部により囲まれた空間内に着脱自在に収納される収納ボックスが使用されている。
【０００３】
そして、このような収納ボックスにおいて、収納ボックスの中に収納した物を外部から見ることができるようにするため、収納ボックスの全体を透明又は半透明の樹脂により形成することが行われていた（例えば、特許文献１参照）。
【特許文献１】特開平９−３７８６１号公報
【発明の開示】
【発明が解決しようとする課題】
【０００４】
しかしながら、従来の収納ボックスのように、全体を透明又は半透明の樹脂により形成すると、何を収納したのかを外部から判断することができるため便利である一方で、下着等外部から見られては困るものを収納する際に不便であった。
【０００５】
そこで、本発明は、収納ボックスの中に入れたものを外部から見えるようにすることと見えないようにすることを使用者が自由に選択することができる収納ボックス及び収納用構造体を提供することを目的とする。
【課題を解決するための手段】
【０００６】
以上の課題を解決するため、本発明は、開口部を有する収納用本体の内部に前記開口部を介して揺動自在に出し入れが可能な収納ボックスにおいて、前記収納ボックスは、前記収納ボックスを前記収納用本体に収納したときに外部から見える第一の側面と、前記第一の側面と対抗する第二の側面と、を少なくとも備えており、前記第一の側面は、外側から内部を見通すことができるように形成されており、前記第二の側面は、外側から内部を見通すことができないように形成されていることを特徴とする収納ボックス。
【０００７】
このように、収納ボックスの第一の側面については、外側から内部を見通すことができるように形成し、第二の側面については、外側から内部を見通すことができないように形成することで、収納用本体に収納ボックスを収納する際に、外部から見える位置に第一の側面を位置させた場合には、この収納ボックスの内部に入れた物が外側から見えるようになり、外部から見える位置に第二の側面を位置させた場合には、この収納ボックスの内部に入れた物が外側から見えなくなる。
【０００８】
ここで、収納ボックスについては、矩形状の底面と、この底面の四辺から直立する第一の側面、第二の側面、第三の側面及び第四の側面と、を有するように構成し、これらの底面、第三の側面及び第四の側面についてはいずれも外側から内部を見通すことができないように形成することが望ましい。
【０００９】
また、収納ボックスの第一の側面は、透明の樹脂からなるものとすることで、外側から内部を見通すことができるようにすることができる。
【００１０】
一方、底面、第二の側面、第三の側面及び第四の側面については、紙、木又は金属からなるものとすることにより、外側から内部を見通すことができないようにすることができる。
【００１１】
ここで、収納ボックスの第一の側面及び第二の側面には取っ手を設けることもできるが、この取っ手については、第一の側面及び第二の側面の表面から収納ボックスの内部に向かって凸になるように形成することで、収納ボックスを収納用本体を収納する際にこの取っ手が邪魔になることがなくなる。
【００１２】
また、以上に記載した収納ボックスについては、収納ボックス単体で提供することも可能であるが、この収納ボックスを収納することができる開口部を有する収納用本体とセットにして収納よう構造体として提供することも可能である。
【００１３】
また、本発明は、開口部を有する収納用本体と、前記収納用本体の内部に前記開口部を介して揺動自在に出し入れが可能な収納ボックスと、からなる収納用構造体において、前記収納ボックスは、矩形状の底面と、前記底面の四辺から直立する第一乃至第四の側面と、を備えており、前記第一の側面は、前記収納ボックスを前記収納用本体に収納したときに外部から見える側面であり、前記第二の側面は前記第一の側面と対抗する側面であり、前記第三の側面は、外側から内部を見通すことができるように形成されており、前記第四の側面は、外側から内部を見通すことができないように形成されており、前記収納ボックスを前記収納用本体に収納したときに、前記第三の側面に対向する前記収納用本体の面は、外側から内部を見通すことができるように形成されており、前記収納ボックスを前記収納用本体に収納したときに、前記第四の側面に対向する前記収納用本体の面は、外側から内部を見通すことができないように形成されていることを特徴とする収納用構造体を提供する。
【００１４】
このように、収納ボックスの第三の側面については外側から内部を見通すことができるように形成し、この収納ボックスを収納用本体に収納した際に、この第三の側面に対向する収納用本体の面を外側から内部を見通すことができるように形成することで、収納用本体の側方からもこの収納ボックスの内部をみることができるようになる。
【００１５】
また、本発明は、多段式の収納用本体であって、各段毎に開口部を有する収納用本体と、前記収納用本体の各段の内部に前記開口部を介して揺動自在に出し入れが可能な収納ボックスと、からなる収納用構造体において、前記収納ボックスは、矩形状の底面と、前記底面の四辺から直立する第一乃至第四の側面と、を備えており、前記第一の側面は、前記収納ボックスを前記収納用本体に収納したときに外部から見える側面であり、前記第二の側面は前記第一の側面と対向する側面であり、前記第一の側面は、前記収納ボックスを前記収納用本体に収納したときに外部から見える側面であり、前記第二の側面は前記第一の側面と対向する側面であり、前記第三の側面は、外側から内部を見通すことができるように形成されており、前記第四の側面は、外側から内部を見通すことができないように形成されており、前記収納ボックスを前記収納用本体に収納したときに、前記第三の側面に対向する前記収納用本体の段の面は、外側から内部を見通すことができるように形成されており、前記収納ボックスを前記収納用本体に収納したときに、前記第四の側面に対向する前記収納用本体の段の面は、外側から内部を見通すことができないように形成されていることを特徴とする収納用構造体を提供する。
【００１６】
このように、多段式の収納用本体を用いることにより、第三の側面側からは、収納ボックスの内部を見通すことができるようにし、第四の側面側からは、収納ボックスの内部を見通すことができないようになる。
【００１７】
また、外側から内部を見通すことができるように形成されている面を有する段と、外側から内部を見通すことができないように形成されている面を有する段と、を交互に配置することもできる。
【発明の効果】
【００１８】
以上のように、本発明に係る収納ボックスによれば、外側から内部を見通すことができる第一の側面と、外部から内部を見通すことができない第二の側面と、を有しているため、これらの第一の側面と第二の側面とのいずれを収納用本体の外部から見える位置にするかにより、収納ボックスの中に入れたものを外部から見えるようにすることと見えないようにすることを自由に選択することができる。
【発明を実施するための最良の形態】
【００１９】
図１は、本発明の第一の実施形態に係る収納用構造体１００の分解斜視図である。
【００２０】
本実施形態に係る収納用構造体１００は、収納用本体１０１と、収納ボックス１０２と、により構成されている。
【００２１】
収納用本体１０１は、下面部１０３と、上面部１０４と、下面部１０３と上面部１０４とを所定の間隔を離して連結する連結部１０５とにより構成されている。
【００２２】
下面部１０３及び上面部１０４は、板材をともに同じ形状・大きさの矩形状にすることにより形成されており、矩形状に形成された上面部１０４と下面部１０３の側方及び背面を連結部１０５により連結することで、これら上面部１０４、下面部１０３及び連結部１０５により囲まれた内部空間が形成されており、上面部１０４と下面部１０３の正面に後述する収納ボックス１０２を揺動自在に収納するための開口部１０７が形成されている。
【００２３】
そして、本実施形態においては、これら下面部１０３、上面部１０４及び連結部１０５により囲まれた内部空間を二つの仕切板１０６により横方向に三等分し、三つに分割されたこの内部空間のそれぞれに収納ボックス１０２を収納することにより、収納用本体１０１には三つの収納ボックス１０２を揺動自在に収納することができるようにしている。
【００２４】
収納ボックス１０２は、底面１０８、第一の側面１０９、第二の側面１１０、第三の側面１１１及び第四の側面１１２を有している。
【００２５】
底面１０８は、板材を矩形状に形成することにより構成されており、この矩形状に形成されている底面１０８の四辺から第一の側面１０９、第二の側面１１０、第三の側面１１１及び第四の側面１１２が直立している。
【００２６】
ここで、底面１０８、第一の側面１０９、第二の側面１１０、第三の側面１１１及び第四の側面１１２の形状・大きさについては、収納用本体１０１の下面部１０３、上面部１０４及び連結部１０５により囲まれ、三等分された内部空間に揺動自在に収納することができるように適時選択して構成する。
【００２７】
第一の側面１０９は、透明のポリプロピレン樹脂により形成されており、第二の側面１１０、第三の側面１１１及び第四の側面１１２は、不透明の黒色であるポリプロピレン樹脂により形成されており、第一の側面１０９と第二の側面１１０は対向する位置に設けられている。
【００２８】
また、これらの第一の側面１０９と第二の側面１１０には、手を掛けることができるように、これらの表面から外側に突出するように取っ手１１３（第二の側面１１１に取り付けられている取っ手１１３については、第二の側面１１１の背後にあるため図示せず）が形成されている。
【００２９】
そして、この取っ手１１３に手を引っかけて、第一の側面１０９又は第二の側面１１０の何れか一方が収納用本体１０１の正面に位置し、他方が収納用本体１０１の背面に位置するように、収納ボックス１０２を収納用本体１０１に収納する。
【００３０】
ここで、第一の側面１０９が収納用本体１０１の正面に位置するように収納用本体１０１に収納した場合には、第一の側面１０９は透明のポリプロピレン樹脂で形成されているため、外部からこの収納ボックス１０２の中に入れられた物を確認することができる一方で、第二の側面１１０が収納用本体１０１の正面に位置するように収納用本体１０１に収納した場合には、第二の側面１１０は不透明の黒色のポリプロピレン樹脂で形成されているため、外部からこの収納ボックス１０２の中に入れられた物を確認することができなくなる。
【００３１】
以上に記載した実施形態においては、収納用本体１０１の連結部１０５として、板状の部材を用いたが、このような態様に限定されるわけではなく、下面部１０３と上面部１０４とを適切に連結し、これらの下面部１０３と上面部１０４との間に収納ボックス１０２を収納することができればどのようなものであればどのような部材であってもよく、例えば、下面部１０３と上面部１０４の四隅を柱状の連結部により連結することも可能であり、このような場合には、収納用本体１０１の側方から収納ボックス１０２の中が見えてしまうことを防止するため、収納ボックス１０２の第一の側面１０９を除いた第二の側面１１０、第三の側面１１１及び第四の側面１１２については、不透明にすることが望ましい。
【００３２】
また、収納用本体１０１の上方から収納ボックス１０２の内部が見えないように、上面部１０４についても、不透明とすることが望ましい。
【００３３】
さらに、本実施形態に係る収納用本体１０１においては、下面部１０３、上面部１０４及び連結部１０５により囲まれた内部空間を二つの仕切板１０６により横方向に三等分し、三つに分割されたこの内部空間のそれぞれに同じ大きさ・形状の収納ボックス１０２を収納するようにしているが、このような態様に限定されるわけではなく、下面部１０３、上面部１０４及び連結部１０５により囲まれた内部空間を所定の数の仕切板１０６によりそれぞれ異なる大きさの空間となるように分割し、このように分割された空間のそれぞれに異なる大きさ・形状の収納ボックスを収納するようにすることも可能である。
【００３４】
図２は、本発明の第二の実施形態に係る収納ボックス２０２の上方斜視図である。
【００３５】
本実施形態に係る収納ボックス２０２は、底面２０８と、第一の側面２０９、第二の側面２１０、第三の側面２１１及び第四の側面２１２と、を有しており、本実施形態においては、図１に表されている収納用本体１０１に収納することができるようにされている。
【００３６】
すなわち、底面２０８は、矩形状に形成されており、この矩形状に形成されている底面の四辺から第一の側面２０９、第二の側面２１０、第三の側面２１１及び第四の側面２１２が直立しているが、これらの底面２０８、第一の側面２０９、第二の側面２１０、第三の側面２１１及び第四の側面２１２の形状・大きさについては、収納用本体１０１の下面部１０３、上面部１０４及び連結部１０５により囲まれ、三等分された内部空間に着脱自在に収納することができるようにされている。
【００３７】
第一の側面２０９は、透明のポリプロピレン樹脂により形成し、第二の側面２１０は、不透明の黒色であるポリプロピレン樹脂により形成し、これらの第一の側面２０９と第二の側面２１０とは、それぞれ対向する位置に形成されている。
【００３８】
なお、本実施形態においては、第一の側面２０９を除く第二の側面２１０、第三の側面２１１及び第四の側面２１２は、第一の実施形態に係る収納ボックス１０２と同様に不透明の黒色であるポリプロピレン樹脂により形成されている。
【００３９】
また、これらの第一の側面２０９と第二の側面２１０には、手を掛けることができるように、取っ手２１３が形成されているが、本実施形態における取っ手２１３は、これらの表面から外側に突出しないように、収納ボックス２０２の内側に向かって凸となるように形成されている。
【００４０】
すなわち、取っ手２１３は、第一の側面２０９及び第二の側面２１０の一部を切り抜き、この切り抜いた部分２１３ａに対して内側から所定の間隔を空けて覆うようにカバー２１３ｂを取り付けることにより形成されており、この所定の間隔は、切り抜いた部分２１３ａから手を挿入して、第一の側面２０９及び第二の側面２１０の裏面に手を掛けることができる範囲で適時選択すればよい。
【００４１】
以上のように本実施形態に係る収納ボックス２０２を形成したので、取っ手２１３に手を引っかけて、第一の側面２０９又は第二の側面２１０の何れか一方が図１に表されている収納用本体１０１の正面に位置し、他方が収納用本体１０１の背面に位置するように、収納ボックス２０２を収納用本体１０１に収納する。
【００４２】
ここで、第一の側面２０９が収納用本体１０１の正面に位置するように収納用本体１０１に収納した場合には、第一の側面２０９は透明のポリプロピレン樹脂で形成されているため、外部からこの収納ボックス２０２の中に入れられた物を確認することができる一方で、第二の側面２１０が収納用本体１０１の正面に位置するように収納用本体１０１に収納した場合には、第二の側面２１０は、不透明の黒色のポリプロピレン樹脂で形成されているため、外部からこの収納ボックス２０２の中に入れられた物を確認することができなくなる。
【００４３】
以上に記載した実施形態における収納ボックス１０２、２０２では、透明なポリプロピレン樹脂により第一の側面１０９、２０９を形成したが、これに限定されるわけではなく、半透明なポリプロピレン樹脂により第一の側面１０９、２０９を形成することも可能であり、また、ポリプロピレン樹脂以外の樹脂、例えば、ポリプロピレン樹脂等を使用することも可能であり、さらに、透明又は半透明のガラスにより第一の側面１０９、２０９を形成することも可能である。
【００４４】
また、以上に記載した実施形態における収納ボックス１０２、２０２では、第一の側面１０９、２０９を除いた第二の側面１１０、２１０、第三の側面１１１、２１１及び第四の側面１１２、２１２を不透明にしたが、これに限られるわけではなく、第二の側面１１０、２１０を除いた第一の側面１０９、２０９、第三の側面１１１、２１１及び第四の側面１１２、２１２を透明又は半透明にすることも可能である。
【００４５】
このように、第二の側面１１０、２１０を除いた第一の側面１０９、２０９、第三の側面１１１、２１１及び第四の側面１１２、２１２を透明又は半透明にした場合には、収納ボックス１０２、２０１を収納用本体１０１に収納した際に、収納用本体１０１の側方から収納ボックス１０２、２０２の内部が見えてしまうことを防止するため、下面部１０３と上面部１０４とを連結する連結部として、本実施形態で表したように板状の連結部１０５により形成し、かつ、この連結部１０５を不透明にすることが望ましい。
【００４６】
なお、以上に記載した実施形態における収納ボックス１０２、２０２では、第二の側面１１０、２１０、第三の側面１１１、２１１及び第四の側面１１２、２１２を不透明の黒色に着色したが、この色については、収納ボックス１０２、２０２の内部が見えない範囲で適時選択することができる設計事項である。
【００４７】
また、以上に記載した実施形態における収納ボックス１０２、２０２では、第二の側面１１０、２１０、第三の側面１１１、２１１及び第四の側面１１２、２１２をポリプロピレン樹脂により形成したが、これに限られるわけではなく、例えば、アクリル樹脂等の他の樹脂、アルミニウム等の金属、木、厚紙等により形成することも可能である。
【００４８】
図３は、本発明の第三の実施形態に係る収納用構造体３００の分解斜視図である。
【００４９】
本実施形態に係る収納用構造体３００は、第一の実施形態と同様に、収納用本体３０１と、収納ボックス３０２と、により構成されているが、収納用本体３０１の正面から向かって右側（図３の右側）の連結部３０５Ａが透明のポリプロピレン樹脂により形成されており、また、収納ボックス３０２の第三の側面３１１が透明のポリプロピレン樹脂により形成されている点で異なっているため、以下、この点についてのみ説明する。
【００５０】
収納用本体３０１は、下面部３０３と、上面部３０４と、下面部４０３と上面部４０４とを所定の間隔を離して連結する連結部３０５Ａ、３０５Ｂとにより構成されており、これらの内、下面部３０３、上面部３０４及び図３の左側に位置する連結部３０５Ｂについては、不透明の黒色であるポリプロピレン樹脂により形成されており、一方、図３の右側に位置する連結部３０５Ａについては、不透明の黒色であるポリプロピレン樹脂により形成されている。
【００５１】
また、収納ボックス３０２は、底面３０８と、第一の側面３０９、第二の側面３１０、第三の側面３１１及び第四の側面３１２と、を有しており、第一の側面３０９及び第三の側面３１１は、透明のポリプロピレン樹脂により形成されており、底面３０８，第二の側面３１０及び第四の側面３１２は、不透明である黒色のポリプロピレン樹脂により形成されている。
【００５２】
従って、第一の側面３０９が収納用本体３０１の正面に位置するように収納用本体３０１に収納した場合には、第一の側面３０９及び第三の側面３１１は透明のポリプロピレン樹脂で形成されており、また、この第三の側面３１１に対向する収納用本体３０１の連結部１０５Ａも透明のポリプロピレン樹脂で形成されているため、収納用本体３０１の正面及び一方の連結部３０５Ａの方向からこの収納ボックス３０２の中に入れられた物を確認することができる一方で、第二の側面３１０が収納用本体３０１の正面に位置するように収納用本体３０１に収納した場合には、第二の側面１１０及び第四の側面３１２は不透明の黒色のポリプロピレン樹脂で形成されているため、外部からこの収納ボックス３０２の中に入れられた物を確認することができなくなる。
【００５３】
なお、本実施形態においては、第一の側面３０９を収納用本体３０１の正面に位置させてこの収納用本体３０１に収納した際に第三の側面３１１に対向する連結部１０５Ａを全て透明のポリプロピレン樹脂により形成したが、例えば、図４に表されている収納用本体４０１のように、第一の側面３０９を収納用本体３０１の正面に位置させてこの収納用本体３０１に収納した際に第三の側面３１１に対向する部分につき、透明のポリプロピレン樹脂により形成された連結部１０５Ａ−ａ、不透明のポリプロピレン樹脂により形成された連結部１０５Ａ−ｂ及び透明のポリプロピレン樹脂により形成された連結部１０５Ａ−ｃにより形成することで、透明の部分と不透明の部分とを交互に形成することも可能である。
【００５４】
以上に記載した実施形態における収納ボックス３０２では、透明なポリプロピレン樹脂により第一の側面３０９及び第三の側面３１１を形成したが、これに限定されるわけではなく、半透明なポリプロピレン樹脂によりこれらを形成することも可能であり、また、ポリプロピレン樹脂以外の樹脂、例えば、アクリル樹脂等を使用することも可能であり、さらに、透明又は半透明のガラスにより第一の側面３０９又は第三の側面３１１を形成することも可能である。
【００５５】
なお、以上に記載した実施形態における収納ボックス３０２及び収納用本体３０１、４０１では、不透明の部分は全て不透明である黒色のポリプロピレン樹脂により形成したが、この色については、収納ボックス３０２の内部が見えない範囲で適時選択することができる設計事項である。
【００５６】
また、以上に記載した実施形態における収納ボックス３０２及び収納用本体３０１では、不透明の部分を不透明であるポリプロピレン樹脂により形成したが、これに限られるわけではなく、例えば、アクリル樹脂等の他の樹脂、アルミニウム等の金属、木、厚紙等により形成することも可能である。
【図面の簡単な説明】
【００５７】
【図１】第一の実施形態に係る収納用構造体１００の分解斜視図。
【図２】第二の実施形態に係る収納ボックス２０２の上方斜視図。
【図３】第三の実施形態に係る収納用構造体３００の分解斜視図。
【図４】第三の実施形態に係る収納用構造体３００の変形例を表す分解斜視図。
【符号の説明】
【００５８】
１００、３００  収納用構造体
１０１、３０１、４０１  収納用本体
１０２、２０２、３０２  収納ボックス
１０３、３０３  下面部
１０４、３０４  上面部
１０５、３０５、４０５  連結部
１０６  仕切板
１０８、２０８、３０８  底面
１０９、２０９、３０９  第一の側面
１１０、２１０、３１０  第二の側面
１１１、２１１、３１１  第三の側面
１１２、２１２、３１２  第四の側面
１１３、２１３  取っ手
【図１】
2005131204.tif 000003
【図２】
2005131204.tif 000004
【図３】
2005131204.tif 000005
【図４】
2005131204.tif 000006